(57)【要約】【課題】框組体に面材を接着剤を用いて簡単に装着できると共に、面材の熱伸びを吸収できるようにした建具とする。【解決手段】框組体３に面材４を装着した建具体２を建具枠１に取付けて建具とし、その框組体３の各框２０，２１，、２２に面材取付部を面内方向内側に開口して形成し、この各框の面材取付部内に面材２の面内方向端部を挿入して面外方向一側内面３２と面材４の面外方向一側面４ａを接し、その接触部を面材挿入のガイドとすると共に、面外方向他側内面３３と面材４の面外方向他側面４ｂを接着剤４０で固定し、前記面材取付部を、面材４の熱伸びを吸収できるようにした建具。【選択図】図４
2007321343.tif 000002
【特許請求の範囲】
【請求項１】
框組体に面材を装着した建具体を、建具枠に取付けした建具であって、
前記框組体の各框は、面外方向一側内面と面外方向他側内面を有し、面内方向内側に開口した面材取付部を備え、この各面材取付部に面材の面内方向端部がそれぞれ取付けられ、
前記各框の面材取付部における面外方向一側内面と面外方向他側内面の一方と面材の面外方向一側面と面外方向他側面の一方がそれぞれ接し、かつ他方が接着剤でそれぞれ固定され、
前記面材取付部は、面材の熱伸びを吸収可能であることを特徴とする建具。
【請求項２】
各框の面材取付部における面外方向一側内面と面外方向他側内面の他方と、面材の面外方向一側面と面外方向他側面の他方の間に切刃挿入可能な面外方向の隙間を有している請求項１記載の建具。
【請求項３】
各框の面外方向一側面寄りに面材取付部が形成され、この面材取付部の面外方向一側内面と面材の面外方向一側面が接していると共に、面材取付部の面外方向他側内面と面材の面外方向他側面が接着剤で固定されている請求項１又は２記載の建具。
【請求項４】
接着剤がホットメルトである請求項１又は２又は３記載の建具。
【発明の詳細な説明】
【技術分野】
【０００１】
本発明は、浴室ドア等の建具に関する。
【背景技術】
【０００２】
建具は、建具枠に戸、障子、扉等の建具体を取付けたものである。
前記戸、障子、扉等の建具体としては、框組体に面材を装着したものが知られている。
例えば、特許文献１に開示されたように、方形状の框組体の各框に溝を形成し、この各溝に面材の各端部を嵌入すると共に、軟質ホットメルト樹脂で面材の面内方向端面と溝の底面、面材の面外方向両側面と溝の面外方向両側内面をそれぞれ接着して各框の溝に面材の各端部を固定して取付け、框組体に面材を装着して建具体としている。
【０００３】
【特許文献１】特開２００１−１６４８３９
【発明の開示】
【発明が解決しようとする課題】
【０００４】
前述したように框組体に面材を装着するには、框の溝の底面に軟質ホットメルト樹脂を充填し、この後に面材の端部を溝内に挿入することで、軟質ホットメルト樹脂に面材の面内方向端面を押しつけ、その軟質ホットメルト樹脂の一部分を面材の面外方向両側面と溝の面外方向両側内面との間に入り込ませ、前述のように面材の端部と溝内部とを軟質ホットメルト樹脂で接着している。
このようであるから、框の溝内に面材の端部を、その面外方向両側面と溝の面外方向両側内面との間に均一の隙間が生じて軟質ホットメルト樹脂が均一に入り込むように注意深く挿入するので、その作業が面倒であるから、框組体に面材を装着するのが面倒である。
【０００５】
また、前述した従来の建具体は溝の底面と面材の面内方向端面が軟質ホットメルト樹脂で接着しているので、面材は框組体に対して面内方向に動くことができない。
したがって、面材の熱伸びを吸収できないから、面材が熱伸びした際に、その面材は框組体内において湾曲変形したり、破損したりすることがある。
【０００６】
本発明の目的は、框組体に面材を接着剤によって固定して簡単に装着できると共に、面材の熱伸びを吸収できるようにした建具を提供することである。
【課題を解決するための手段】
【０００７】
本発明は、框組体に面材を装着した建具体を、建具枠に取付けした建具であって、
前記框組体の各框は、面外方向一側内面と面外方向他側内面を有し、面内方向内側に開口した面材取付部を備え、この各面材取付部に面材の面内方向端部がそれぞれ取付けられ、
前記各框の面材取付部における面外方向一側内面と面外方向他側内面の一方と面材の面外方向一側面と面外方向他側面の一方がそれぞれ接し、かつ他方が接着剤でそれぞれ固定され、
前記面材取付部は、面材の熱伸びを吸収可能であることを特徴とする建具である。
【０００８】
本発明においては、各框の面材取付部における面外方向一側内面と面外方向他側内面の他方と、面材の面外方向一側面と面外方向他側面の他方の間に切刃挿入可能な面外方向の隙間を有していることが好ましい。
【０００９】
このようにすれば、面材取付部の面外方向一側内面又は他側内面と面材の面外方向一側面又は他側面のみが接着剤で固定されていると共に、その接着剤を面外方向の隙間から切刃を挿入して切断できるので、框の面材取付部から面材の面内方向端部を取り出して框組体を分解できる。
したがって、建具体を分解してメンテナンスできると共に、廃棄処理する時に分別し易い。
【００１０】
本発明においては、各框の面外方向一側面寄りに面材取付部が形成され、この面材取付部の面外方向一側内面と面材の面外方向一側面が接していると共に、面材取付部の面外方向他側内面と面材の面外方向他側面が接着剤で固定されていることが好ましい。
【００１１】
このようにすれば、面材の面外方向一側面と框の面外方向一側面との間の段差を小さくできるので、その部分の清掃性が向上する。
例えば、浴室ドアとして面外方向一側面を浴室側とした場合に、框の面外方向一側面と面材の面外方向一側面との間の段差部分にカビが発生することがないし、その部分を容易に拭き取ることができるから、清掃性が優れたものである。
【００１２】
本発明においては、接着剤がホットメルトであることが好ましい。
【００１３】
このようにすれば、框の面材取付部内にホットメルトを塗布することで、接着剤を面材取付部内に設けることができ、その接着剤を面材取付部内に簡単に設けることができる。
【発明の効果】
【００１４】
本発明によれば、框の面材取付部の面外方向他側内面又は面外方向一側内面に接着剤を設け、面材の面外方向一側面又は他側面と面材取付部の面外方向一側内面又は他側内面との接触部分をガイドとして面材の面内方向端部を框の面材取付部内に挿入することで面材の面内方向端部を面材取付部内に接着剤で固定して取付けでき、その作業が簡単であるから、框組体に面材を接着剤によって固定して簡単に装着できる。
また、面材の熱伸びを吸収できる。
また、框の面材取付部の面外方向一側内面又は他側内面と面材の面外方向一側面又は他側面が接しているので、框の面材取付部の面外方向の開口寸法を小さくできる。
【発明を実施するための最良の形態】
【００１５】
図１に示すように、建具枠１に建具体２を取付けて建具としてある。
前記建具枠１は上枠１０と下枠１１と左右の縦枠１２，１２を連結した方形状である。
前記建具体２は、框組体３に面材４を装着したものである。
前記框組体３は上框２０、下框２１、左右の縦框２２を方形状に連結してある。
前述の図１に示す建具は浴室ドアを示し、建具枠１がドア枠で、建具体２がドアである。そして、左右一方の縦框２２が左右一方の縦枠１２に面外方向に回動自在に取付けられ、左右他方の縦框２２にハンドル２３が取付けてある。
【００１６】
前記框組体３を構成する各框、つまり上框２０、下框２１、左右の縦框２２は図２、図３に示すように面材４を取付けるための面材取付部、好ましくは面材取付用の溝３０を有している。この溝３０は面内方向内側に向けて開口している。
例えば、各框の面内方向内側面２０ａ，２１ａ，２２ａに溝３０が面内方向内側に開口して形成してある。
好ましくは、各框の面内方向内側面２０ａ，２１ａ，２２ａにおける面外方向一側面２０ｂ，２１ｂ，２２ｂ寄りに溝３０が面内方向内側に開口して形成してある。
なお、溝３０は各框の面外方向中央部に形成しても良いし、面外方向他側面２０ｃ，２１ｃ，２２ｃ寄りに形成しても良い。
この実施の形態では、浴室ドアを示しており、面外方向一側面２０ｂ，２１ｂ，２２ｂは浴室側の面で、面外方向他側面２０ｃ，２１ｃ，２２ｃは脱衣室側の面である。
【００１７】
前記各溝３０は図４に示すように底面３１と面外方向一側内面３２と面外方向他側内面３３で断面ほぼコ字形状である。
前記溝３０の面外方向一側内面３２と面材４の面外方向一側面４ａが接している。
前記溝３０の面外方向他側内面３３と面材４の面外方向他側面４ｂが接着剤４０で接着している。
このようであるから、溝３０の面外方向他側内面３３に接着剤４０を設けた状態で、面材４の面内方向端部を溝３０内に、その面外方向一側面４ａと溝３０の面外方向一側内面３２の接触部分をガイドとして挿入することで、面材４の面外方向他側面４ｂが溝３０の面外方向他側内面３３に接着して固定され、面材４の面内方向端部が框の溝３０内に取付けられるから、その作業が簡単で、框組体３に面材４を接着剤４０で接着して簡単に装着できる。
【００１８】
例えば、面材４の各面内方向端部に上框２０、下框２１、左右の縦框２２，２２を前述のようにしてそれぞれ取付け、左右の縦框２２の上部と上框２０をビス等で連結すると共に、左右の縦框２２の下部と下框２１をビス等で連結することで框組体３に面材４を装着する。
【００１９】
しかも、溝３０の面外方向一側内面３２と面材４の面外方向一側面４ａが接しているので、溝３０の面外方向の開口寸法を小さくできる。
【００２０】
前記面材４の面外方向他側面４ｂと溝３０の面外方向他側内面３３とは離隔して面外方向の隙間（クリアランス）を有している。この隙間は０．５ｍｍ〜３ｍｍの範囲が好ましい。
この隙間から接着剤４０が目視でき、その隙間からカッタ等の切刃５０を挿入して接着剤４０を切断することができるようにしてある。
【００２１】
前記溝３０の底面３１と面材４の面内方向端面４ｃとは面内方向に離隔して面内方向の隙間（クリアランス）を有している。
この面内方向の隙間によって面材４の熱伸びを吸収する。
【００２２】
また、前述の面内方向の隙間は雨水等の排水経路として利用できるから、面材４の面外方向一側面４ａと溝３０の面外方向一側内面３２との間から浸入した雨水等は、前述の面内方向の隙間から排水することが可能であり、框と面材の取付部分の水密性が優れたものである。
【００２３】
また、図４に示す溝３０は、その面外方向他側内面３３の開口端に突条３４を備え、その面外方向他側内面３３を開口端よりも面外方向他側に向けてくぼんだ形状としてある。
これによって、溝３０の面外方向他側内面３３に設けた接着剤４０が溝３０の開口から面内方向内側にはみ出すことを抑えることができる。
【００２４】
図４は左右他方の縦框２２と面材４の面内方向端部との取付部を示しているが、左右一方の縦框２２、上框２０、下框２１の溝３０も図４に示す溝３０と同一断面形状で、面材４の面内方向端部も図４に示すと同様に取付けてある。
【００２５】
前記溝３０の開口端の面外方向寸法（溝開口）Ａ、面材４の面外方向の寸法（面材厚み）Ｂ、溝３０の底面３１と面材４の面内方向端面４ｃとの間の面内方向の隙間Ｃ、面材４の面外方向他側面４ｂと溝３０の面外方向他側内面３３との間の面外方向の寸法（接着代）Ｄの関係は、次のようにすることが好ましい。
【００２６】
０＜Ａ−Ｂ＜１
【００２７】
ｃ≧α×Ｌ×△ｔ／２、但し、αは面材の線膨張係数、Ｌは面材の長さ、△ｔは温度差である。
【００２８】
２．０≧Ｄ≧０．５
【００２９】
前述の接着剤４０としてはホットメルト（つまり、接着性を有する熱融性物質を溶融状態としたもの）が好ましく、図５（ａ），（ｂ）に示すようにノズル４１を用いて溝３０の面外方向他側内面３３に塗布するようにして設ける。
図５（ａ）に示すように、框を横置きして溝３０の面外方向他側内面３３を横向き（水平）とし、ノズル４１を横向き姿勢として溝３０内に突出してホットメルト４２を塗布するようにして設ける。
または、図５（ｂ）に示すように、框を斜め縦置きして溝３０の面外方向他側内面３３を斜め縦向きとし、ノズル４１を縦向き姿勢として溝３０内に突出してホットメルト４２を塗布するようにして設ける。
【００３０】
前述のようにホットメルト４２を塗布した後に面材４の面内方向端部を、前述したように溝３０内に挿入し、時間の経過でホットメルト４２が冷却することで面材４の面外方向他側内面４ｂを溝４０の面外方向他側内面３３に接着して固定する。
前記ホットメルト４２として冷却することで膨張するものを用いることで、接着されると同時に面材４は面外方向一側に向けて押され、面材４の面外方向一側面４ａが溝３０の面外方向一側内面３２に押しつけられる。
【００３１】
図６に示すように、面材４の面外方向一側面４ａと框の溝３０の面外方向一側内面３２を接着剤４０で接着し、面材４の面外方向他側面４ｂと框の溝３０の面外方向他側内面３３を接するようにして面材４の面内方向端部を框の溝３０内に取付けても良い。
【００３２】
前述の各実施の形態では、框の面材取付部を溝３０としたが、これに限ることはなく、溝３０の底面３１を有しない形状でも良い。
例えば、図７に示すように面外方向一側内面３２と面外方向他側内面３３を有し、面内方向内側に開口した形状としても良い。
つまり、本発明の框に形成した面材取付部は、面外方向一側内面３２と面外方向他側内面３３を有し、面内方向内側に開口した形状であれば良い。
【００３３】
前述の各実施の形態では浴室ドアについて説明したが、浴室ドアに限ることはなく、玄関ドア、引き違い窓、開き窓などの建具枠に建具体を取付けた建具に適用できることは勿論である。
【図面の簡単な説明】
【００３４】
【図１】本発明の実施の形態を示す建具の正面図である。
【図２】図１の縦断面図である。
【図３】図１の横断面図である。
【図４】縦框の面材取付部分の拡大断面図である。
【図５】ホットメルトの塗布説明図である。
【図６】他の実施の形態を示す縦框の面材取付部分の断面図である。
【図７】他の実施の形態を示す縦框の面材取付部分の断面図である。
【符号の説明】
【００３５】
１…建具枠、２…建具体、３…框組体、４…面材、４ａ…面外方向一側面、４ｂ…面外方向他側面、４ｃ…面内方向端面、２０…上框、２１…下框、２２…縦框、３０…面材取付用の溝、３１…底面、３２…面外方向一側内面、３３…面外方向他側内面、４０…接着剤、４１…ノズル、４２…ホットメルト、５０…切刃。
【図１】
2007321343.tif 000003
【図２】
2007321343.tif 000004
【図３】
2007321343.tif 000005
【図４】
2007321343.tif 000006
【図５】
2007321343.tif 000007
【図６】
2007321343.tif 000008
【図７】
2007321343.tif 000009